(57)【要約】【課題】本発明は、施工容易にして強固且つコストを低減して材料の無駄を解消する吊り天井，壁面構築用の下地材装置を新規に提案するものである。【解決手段】  本発明は吊りチャンネル列に交叉してシングル野縁とその２倍幅のダブル野縁とをクリップ掛着して形成する吊り天井および壁面形成用の下地材において、該ダブル野縁のクリップ掛着口をシングル野縁の掛着口と同幅に狭めるとともに該掛着口を一側の側板に近接して形成して、該ダブル野縁の他側側板を吊りチャンネル端外に突出することにより垂直壁面に当接するようにしたことを特徴とする吊り天井，壁面構築用の下地材装置にある。【選択図】  図１
2010013861.tif 000002
【特許請求の範囲】
【請求項１】
吊りチャンネル列に交叉してシングル野縁とその２倍幅のダブル野縁とをクリップ掛着して形成する吊り天井および壁面形成用の下地材において、該ダブル野縁のクリップ掛着口をシングル野縁の掛着口と同幅に狭めるとともに該掛着口を一側の側板に近接して形成して、該ダブル野縁の他側側板を吊りチャンネル端より外に突出することにより垂直壁面に当接するようにしたことを特徴とする吊り天井，壁面構築用の下地材装置。
【請求項２】
ダブル野縁の掛着口から離れた他側の側板とその周辺に補強用のリブを並設する請求項１に記載の吊り天井，壁面構築用の下地材装置。
【請求項３】
クリップはシングル野縁とダブル野縁の双方に共用可能の１種とする請求項１または２に記載の吊り天井，壁面構築用の下地材装置。
【発明の詳細な説明】
【技術分野】
【０００１】
本発明は吊り天井，壁面構築用の下地材装置に関するものである。
【背景技術】
【０００２】
吊り天井の下地材としては実用新案登録第３１３９９１３号公報がある。該公報は野縁２の底板または側板に水抜き穴を形成して水抜きするようにしたことを記載している。
【特許文献１】実用新案登録第３１３９９１３号公報
【発明の開示】
【発明が解決しようとする課題】
【０００３】
しかしながら、垂直壁面間の吊り天井および壁用の下地は、図７に示すように施工の関係で、吊りチャンネルをやや短小としているために、垂直壁面との間の端部に大小の隙間ができるという課題がある。
【０００４】
また野縁は図６に示すようにシングル野縁２とその２倍幅とするダブル野縁３’との２種があって、幅の大きさが異なることから大小２種類のクリップ４，４４を用いて吊りチャンネル下に掛着させていて、大のクリップ４４は野縁の曲げ止めに難儀し、またクリップの一方がしばしば残るなどして無駄が生じているという課題があった。
【課題を解決するための手段】
【０００５】
本発明は、吊りチャンネル列に交叉してシングル野縁とその２倍幅のダブル野縁とをクリップ掛着して形成する吊り天井および壁面形成用の下地材において、該ダブル野縁のクリップ掛着口をシングル野縁の掛着口と同幅に狭めるとともに該掛着口を一側の側板に近接して形成して、該ダブル野縁の他側側板を吊りチャンネル端より外に突出することにより垂直壁面に当接するようにして、かかる課題を解決するようにしたのである。
【発明の効果】
【０００６】
本発明は、ダブル野縁のクリップ掛着口をシングル野縁と同幅にしたので、１種のクリップにてシングル野縁とダブル野縁の双方を吊りチャンネル下に掛着することができて、クリップを取扱いやすくして無駄を解消することができるという効果を生ずる。
【０００７】
ダブル野縁の掛着口を一側にずらしたことで、他側に吊りチャンネル端から突出し可能の幅ができて、この突出し幅にて垂直面に当接して隙間を解消することができるという効果を生ずる。
【発明を実施するための最良の形態】
【０００８】
本発明は、水平並設する吊りチャンネル列に交叉してシングル野縁とその２倍幅のダブル野縁とをクリップ掛着して形成する吊り天井および壁面形成用の下地材において、該ダブル野縁のクリップ掛着口をシングル野縁の掛着口と同幅に狭めるとともに該掛着口を一側の側板に近接して形成して、該ダブル野縁の他側側板を吊りチャンネル外に突出することによりダブル野縁の他側側板をもって垂直壁面に当接するようにしたのである。
【実施例１】
【０００９】
吊りチャンネル１は施工しやすくするために垂直壁面６間よりやや短かくして複数本を間隔を置いて水平吊りして、このチャンネル１下に中間用として細幅にてなるシングル野縁２と、シングル野縁２の２倍幅を有す要部張設用のダブル野縁３とを交互するなどして共用形のクリップ４を用いて交叉掛着する。ダブル野縁３の掛着口３ａはシングル野縁２の掛着口２ａと同幅に狭めるとともに該掛着口３ａを一側の側板３ｂに近接するようにずらして形成している。ダブル野縁３の掛着口３ａから離れた他側の側板３ｃと天板３ｄにかけて補強用のリブ３ｅを並列して内側に突出し形成する。３ｆ，３ｇは掛着口３ａの側縁を内折りして設けるクリップ４の掛止部である。
【００１０】
クリップ４は上部に吊りチャンネル１上に折り当てする部分とその先を二股に分けてなる曲げ止め片４ａ，４ｂを有し、下部に掛止部３ｆ，３ｇに嵌合して掛止する掛止脚４ｃ，４ｄを設けて形成している。吊りチャンネル１下のダブル野縁３は掛着口３ａのずれによって片持ち掛着になるが、離れた部分に補強用のリブ３ｅを内突出し形に並設して強化したことにより歪み，捻れなどは全く生じないものとなる。補強用のリブ３ｅは側板３ｃからさらに底板３ｈにかけて延長して設けることもある。
【００１１】
クリップ４はシングル野縁２とダブル野縁３の双方の掛着に共用できるようにしたので、シングル野縁２とダブル野縁３を取り混ぜた施工において各別のクリップを用意して使い分けする必要がないので作業を簡易迅速に行えることになる。ダブル野縁３専用のクリップの作製を不要とすることで吊り天井のコストを低減することができ、１種のクリップ４を双方の野縁に使用することで取扱いやすく無駄の発生を解消することができることとなる。
【００１２】
吊りチャンネル１が短いこともあってその端部と垂直壁面６との間には図７に示すように隙間Ｓ（Ｓ'）が生ずることになる。かかる隙間Ｓ（Ｓ'）を埋めるために垂直壁面６に面して掛着するダブル野縁３の側板３ｃ側を図３に示すように吊りチャンネル１外に突出させて垂直壁面６に当接させて隙間Ｓを埋めるようにする。図４に示すように隙間がＳ１からＳ３に大小していてもダブル野縁３の掛着位置をずらして幅を大小調整することで隙間Ｓ１〜Ｓ３は確実に埋って垂直壁面６に当接することとなる。かくして下面に取付けられるボードなどの天井下地材５の垂直壁面６に面す端部は隙間Ｓなしにて当接するダブル野縁３に支えられて著しく強化されるものとなる。見切り縁７を施工するときもダブル野縁３の当接支えによって波打つことなしに取付けることができるものとなる。
【実施例２】
【００１３】
次に出隅施工の実施例について説明する。
従来の出隅施工は、図８に示すように内出壁８と下がり天井９の突合角部１０の不安定，不揃いを解消するために内側に角パイプ１１１を当ててビス１２止めするようにしているが、支えもなく長くて重い角パイプ１１を用いる施工は非常に困難であった。
本発明のダブル野縁３を用いると、図５に示すように内出壁８と下がり天井９の突合角部１０の内側に他側側板３ｃと底板３ｈとを当て支えすることで、施工能率を向上するととともに突合角部１０の仕上がりを美しく且つ強固にすることができるものとなる。
【産業上の利用可能性】
【００１４】
本発明は、施工に便利で無駄がなく、吊り天井，出隅などの壁面構築用の下地材装置として広く利用することができるものである。
【図面の簡単な説明】
【００１５】
【図１】（ａ）はダブル野縁を吊りチャンネルにクリップ掛着した状態を示す部分斜視図、（ｂ）は同、縦断正面図、（ｃ）は共用形のクリップにて掛着したシングル野縁を示す縦断正面図
【図２】（ａ）は共用形のクリップの斜視図、（ｂ）は同、クリップをダブル野縁に掛着して吊りチャンネルに取付ける状態を示す斜視図
【図３】垂直壁面との間に隙間のあいた吊りチャンネルにおいてダブル野縁の他側の側板を垂直壁面に当接して取付けた状態を示す部分斜視図
【図４】垂直壁面と吊りチャンネル端間の大小する隙間に対応したダブル野縁の取付例を示す縦断面図
【図５】出隅の施工例を示す縦断面図
【図６】従来例であって、ダブル野縁とシングル野縁を各専用のクリップにて掛着した状態を示す縦断正面図
【図７】同、垂直壁面と吊りチャンネル端間に隙間が存する際の施工例を示す縦断正面図
【図８】従来の出隅の施工例を示す縦断正面図
【符号の説明】
【００１６】
１は吊りチャンネル
１ａは吊り具
２はシングル野縁
２ａは掛着口
２ｆ，２ｇは掛止部
３はダブル野縁
３ａ掛着口
３ｂは一側の側板
３ｃは他側の側板
３ｄは天板
３ｅは補強用のリブ
３ｆ，３ｇは掛止部
３ｈは底板
４は共用形のクリップ
４ａ，４ｂは曲げ止め片
４ｃ，４ｄは掛止脚
５は天井下地材
５ａは天井材
６は垂直壁面
７は見切り縁
８は内出壁
９は下がり天井
１０は突合角部
１１は角パイプ
１２ビス
【図１】
2010013861.tif 000003
【図２】
2010013861.tif 000004
【図３】
2010013861.tif 000005
【図４】
2010013861.tif 000006
【図５】
2010013861.tif 000007
【図６】
2010013861.tif 000008
【図７】
2010013861.tif 000009
【図８】
2010013861.tif 000010